(57)【要約】【課題】間仕切り材で区切られた区域間の遮音性能や防火区画を確保することができ、且つ、コストアップを抑えることができる間仕切り壁と鉄骨梁との取合構造を提供することを目的とする。【解決手段】鉄骨造の建物の内部空間を区切る間仕切り壁１を形成する間仕切り材３が、建物の外壁４及び外壁４に沿って延在する建物の鉄梁骨２に対して直交させて設置される間仕切り壁１と鉄骨梁２との取合構造において、間仕切り材３の端部に、鉄骨梁２の外形に沿って切り欠いた切欠部３ｂが形成され、切欠部３ｂを鉄骨梁２に嵌合させて間仕切り材３が設置されているとともに、外壁４の内面４ａと鉄骨梁２のウェブ２ｂとの間に形成された空間Ｓ内に、空間Ｓを閉塞する塞ぎ材７が設置されている。【選択図】図１
2007211404.tif 000002
【特許請求の範囲】
【請求項１】
鉄骨造の建物の内部空間を区切る間仕切り壁を形成する間仕切り材が、前記建物の外壁及び該外壁に沿って延在する前記建物の鉄骨梁に対して直交させて設置される間仕切り壁と鉄骨梁との取合構造において、
前記間仕切り材の端部に、前記鉄骨梁の外形に沿って切り欠いた切欠部が形成され、該切欠部を前記鉄骨梁に嵌合させて前記間仕切り材が設置されているとともに、
前記外壁の内面と前記鉄骨梁のウェブとの間に形成された空間内に、該空間を閉塞する塞ぎ材が設置されていることを特徴とする間仕切り壁と鉄骨梁との取合構造。
【請求項２】
請求項１記載の間仕切り壁と鉄骨梁との取合構造において、
前記塞ぎ材は、前記外壁の内面に対向する向きで複数積層貼りされていることを特徴とする間仕切り壁と鉄骨梁との取合構造。
【発明の詳細な説明】
【技術分野】
【０００１】
本発明は、鉄骨造の建物内における間仕切り壁と鉄骨梁との取合構造に関する。
【背景技術】
【０００２】
例えば、郊外型のショッピングセンター等では、コストを低く抑えるべく、鉄骨造（ブレース構造）と外壁ＡＬＣ（オートクレーブド・ライトウェイト・コンクリート）とから構成される場合が多い。近年では、ショッピングセンター内に、シネマコンプレックス（複合型映画館）を造る場合があり、この場合、劇場間の遮音性能（遮音等級Ｄ値＝６０程度）を確保するために、劇場間の間仕切り壁に、乾式耐火遮音間仕切り材が採用される場合が多い。この間仕切り材は、通常、格子状に組まれたＬＧＳ（軽量鉄骨）下地にビス止めされて固定されている。
【０００３】
上記した間仕切り壁において、ＡＬＣ壁内面に沿って延在する鉄骨梁に直交させて間仕切り材を設置する場合、間仕切り材の側端部を鉄骨梁の梁型に合わせてプレカットして鉄骨梁に間仕切り材を直接取り合わせる取合構造とすると、鉄骨梁とＡＬＣ壁内面との隙間が狭い場合、鉄骨梁の裏側（ＡＬＣ壁側）に、ＬＧＳ等の下地材を組み立てることができず、間仕切り材を設置することはできない。したがって、鉄骨梁の裏側に間仕切りされていない遮音欠損部分が生じ、劇場間の遮音性能及び防火区画を確保することができないことになる。
【０００４】
そこで、従来、上記したような建物を建築する場合、鉄骨梁や鉄骨柱を全て耐火ボードで囲い、この耐火ボードに間仕切り壁（間仕切り材）を取り合わせる取合構造としている。この取合構造によれば、間仕切り壁で区切られた劇場間の遮音性能や防火区画を確保することができる（例えば、特許文献１参照。）。
【０００５】
また、従来、鉄骨梁の内側に外壁ＡＬＣに対向させて遮音壁（内壁）を形成し、この遮音壁に間仕切り材を取り合わせる取合構造とするものもある。この取合構造によれば、間仕切り壁で区切られた劇場間の遮音性能や防火区画を確保することができ、且つ、鉄骨梁を囲うように耐火ボードを設置する場合に比べて容易に施工できる。
【特許文献１】特許第３５４９５０６号公報
【発明の開示】
【発明が解決しようとする課題】
【０００６】
しかしながら、上記した従来の取合構造では、鉄骨梁を囲う耐火ボードを設置したり、鉄骨梁の内側に内壁を形成したりするため、コストアップするという問題がある。
【０００７】
本発明は、上記した従来の問題が考慮されたものであり、間仕切り材で区切られた区域間の遮音性能や防火区画を確保することができ、且つ、コストアップを抑えることができる間仕切り壁と鉄骨梁との取合構造を提供することを目的としている。
【課題を解決するための手段】
【０００８】
請求項１記載の発明は、鉄骨造の建物の内部空間を区切る間仕切り壁を形成する間仕切り材が、前記建物の外壁及び該外壁に沿って延在する前記建物の鉄骨梁に対して直交させて設置される間仕切り壁と鉄骨梁との取合構造において、前記間仕切り材の端部に、前記鉄骨梁の外形に沿って切り欠いた切欠部が形成され、該切欠部を前記鉄骨梁に嵌合させて前記間仕切り材が設置されているとともに、前記外壁の内面と前記鉄骨梁のウェブとの間に形成された空間内に、該空間を閉塞する塞ぎ材が設置されていることを特徴としている。
【０００９】
このような特徴により、間仕切り材を鉄骨梁に直接取り合わせられるとともに、塞ぎ材によって鉄骨梁の裏側に形成された空間が閉塞される。
【００１０】
請求項２記載の発明は、請求項１記載の間仕切り壁と鉄骨梁との取合構造において、前記塞ぎ材は、前記外壁の内面に対向する向きで複数積層貼りされていることを特徴としている。
【００１１】
このような特徴により、塞ぎ材を積層貼りする作業であれば、外壁の内面と鉄骨梁のフランジとの間の隙間が狭い場合であっても、鉄骨梁裏側の空間に塞ぎ材を設置することが可能である。
【発明の効果】
【００１２】
本発明に係る間仕切り壁と鉄骨梁との取合構造によれば、間仕切り材が鉄骨梁に直接取り合わせられるとともに、塞ぎ材によって鉄骨梁の裏側に形成された空間が閉塞されるため、間仕切り材で区切られた区域間の遮音性能や防火区画を確保することができ、且つ、コストアップを抑えることができる。
【００１３】
また、塞ぎ材が外壁の内面に対向する向きで複数積層貼りされている構成とすることで、壁の内面と鉄骨梁のフランジとの間の隙間が狭い場合であっても、鉄骨梁裏側の空間に塞ぎ材を積層貼りすることが可能であり、これによって、鉄骨梁裏側の空間を閉塞することができる。
【発明を実施するための最良の形態】
【００１４】
以下、本発明に係る間仕切り壁と鉄骨梁との取合構造の第１、第２の実施の形態について、図面に基いて説明する。
【００１５】
［第１の実施の形態］
まず、本発明に係る間仕切り壁と鉄骨梁との取合構造の第１の実施の形態について説明する。なお、図１は第１の実施の形態における間仕切り壁１と鉄骨梁２との取合構造を表す断面図であり、図２は図１に示すＡ−Ａ間の断面図である。
【００１６】
図１，図２に示すように、鉄骨梁２は、シネコン（シネマコンプレックス）が収容された鉄骨造の建物を構成するＨ形鋼からなる梁である。鉄骨梁２は、建物の外壁を形成するＡＬＣパネルからなる外壁材４（壁）の内面４ａに沿って水平に延在されており、鉄骨梁２のフランジ２ａの側端面と外壁材４の内面４ａとの間に、所定幅（例えば５０ｍｍ〜１００ｍｍ程度）の隙間Ｄがあけられている。
【００１７】
間仕切り壁１は、前記建物の内部空間を２つの劇場（居室）に区切る壁であり、図示せぬＬＧＳ等の下地材にビス止めされた複数の間仕切り材３によって形成されている。間仕切り材３は、所定の厚さの遮音性及び耐火性を有するボードからなり、鉄骨梁２および外壁材４に対して直交させて設置されている。間仕切り材３は、間仕切り材３の外壁材４側の側端面３ａと外壁材４の内面４ａとの間に隙間をあけて設置され、この隙間には間仕切り材３の外壁材４側の側端面３ａに沿って延在するウレタン系のシール材５が介在されている。
【００１８】
また、間仕切り材３の外壁材４側の端部には、鉄骨梁２の外形（梁型）に沿って切り欠いた切欠部３ｂが形成されており、間仕切り材３は、鉄骨梁２に切欠部３ｂを嵌合させて設置されている。切欠部３ｂは、鉄骨梁２の外形よりも若干大きく切り欠いてあり、鉄骨梁２と間仕切り材３の切欠部３ｂとの間には隙間があけられ、この隙間には鉄骨梁２の外形に沿って延在するウレタン系のシール材６が介在されている。
【００１９】
外壁材４の内面４ａと鉄骨梁２のウェブ２ｂとの間に形成された空間Ｓ内には、その空間Ｓを閉塞する第１の塞ぎ材７（塞ぎ材）が設置されている。第１の塞ぎ材７は、間仕切り材３と同じ仕様（材質、厚さ寸法）の遮音性及び耐火性を有するボードからなっており、間仕切り材３と同じ向き（鉄骨梁２や外壁材４に直交する向き）で、平面視において、間仕切り材３の設置位置上に配置されている。第１の塞ぎ材７は、鉄骨梁２の裏側の空間Ｓの縦寸法（フランジ２ａ，２ａ内法寸法Ｈ１）よりも若干小さい寸法Ｈ２の矩形に形成されており、第１の塞ぎ材７と鉄骨梁２との間および第１の塞ぎ材７と外壁材４の内面４ａとの間には所定幅の隙間がそれぞれあけられ、これらの隙間にはシール材８がそれぞれ介在されている。なお、第１の塞ぎ材７は、その外周に沿って延在されているシール材８によって鉄骨梁２や外壁材４にそれぞれ接合されて固定されている。
【００２０】
図３は第１の実施の形態における間仕切り壁１とブレース９との取合構造を表す断面図である。
図３に示すように、ブレース９は、上下の鉄骨梁２間に斜めに架設された長尺部材であり、具体的には、断面Ｌ字形のアングル材（山形鋼）９ａ，９ｂを２本平行に並べた構成からなる。間仕切り材３の外壁材４側の端部には、ブレース９の取合部を矩形に切り欠いた切欠部３ｃが形成されており、間仕切り材３は、ブレース９に切欠部３ｃを嵌合させて設置されている。ブレース９に切欠部３ｃが嵌合されたとき、この切欠部３ｃがブレース９の外形に沿った形状でないため、ブレース９の周囲には開口（隙間）が形成されており、切欠部３ｃには、この開口を閉塞する第２の塞ぎ材１０，１０が配設されている。
【００２１】
第２の塞ぎ材１０，１０は、間仕切り材３と同じ仕様の遮音性及び耐火性を有するボードからなっており、間仕切り材３と同じ向きで配置され、間仕切り材３の表面に接着貼りされている。また、ブレース９と切欠部３ｃとの間、及び、ブレース９と第２の塞ぎ材１０，１０との間には所定幅の隙間がそれぞれあけられており、こられの隙間にはブレース９の外形に沿って延在するシール材１１が介在されている。
【００２２】
次に、上記した構成からなる間仕切り壁１と鉄骨梁２との取合構造の施工方法について説明する。
【００２３】
まず、外壁材４の内面４ａに沿って鉄骨梁２が延在された箇所に、間仕切り材３を設置する工程を行う。具体的には、建物内の間仕切り壁１を形成する箇所に、予め図示せぬ下地材を格子状に組み立てておく。また、間仕切り材３端部の所定高さ位置に、予め、鉄骨梁２に嵌合させる切欠部３ｂや、ブレース９に嵌合させる切欠部３ｃをそれぞれ形成しておく。そして、間仕切り材３に形成された切欠部３ｂを鉄骨梁２に嵌合させるとともに、間仕切り材３に形成された切欠部３ｃをブレース９に嵌合させるように、間仕切り材３を所定位置に配置して図示せぬ下地材にビス止めし、間仕切り材３を設置する。
【００２４】
次に、間仕切り材３の外壁材４側の側端面３ａと外壁材４の内面４ａとの間、および、鉄骨梁２と間仕切り材３の切欠部３ｂとの間に、シール材５，６を形成する工程を行う。具体的には、間仕切り材３の外壁材４側の側端面３ａと外壁材４の内面４ａとの間、および、鉄骨梁２と間仕切り材３の切欠部３ｂとの間に、それぞれ図示せぬバックアップ材を介在させた後、図示せぬシーリングガンによって、シール材５，６を打つ。
【００２５】
また、鉄骨梁２の裏側の空間Ｓに、第１の塞ぎ材７を設置する工程を行う。具体的には、第１の塞ぎ材７を、外壁材４の内面４ａに対向する向きにして、外壁材４の内面４ａと鉄骨梁２との隙間Ｄから鉄骨梁２の裏側の空間Ｓの中に入れる。そして、空間Ｓの中で、第１の塞ぎ材７を水平方向に回転させて間仕切り材３と同じ向きにし、さらに、間仕切り材３の設置位置上に配置して仮固定する。そして、外壁材４の内面４ａと鉄骨梁２との隙間Ｄから鉄骨梁２の裏側の空間Ｓ内に図示せぬシーリングガンを差し込み、第１の塞ぎ材７の周囲にシール材８を打ち、第１の塞ぎ材７を鉄骨梁２や外壁材４に固定する。
【００２６】
一方、ブレース９の周囲に形成された開口を閉塞する第２の塞ぎ材１０，１０を設置する工程を行う。具体的には、ブレース９の周囲に形成された開口を塞ぐように、第２の塞ぎ材１０，１０を配置し、間仕切り材３の表面に接着貼りする。そして、ブレース９と切欠部３ｃとの間、及び、ブレース９と第２の塞ぎ材１０，１０との間に、それぞれ図示せぬバックアップ材を介在させた後、図示せぬシーリングガンによって、シール材１１を打つ。
【００２７】
上記した構成からなる間仕切り壁１と鉄骨梁２との取合構造によれば、間仕切り材３が鉄骨梁２に直接取り合わせられるとともに、第１の塞ぎ材７によって鉄骨梁２の裏側に形成された空間Ｓが閉塞されるため、間仕切り壁１で区切られた２つの劇場間の遮音性能や防火区画を確保することができ、且つ、鉄骨梁２をボードで囲ったり、鉄骨梁２の内側に内壁を形成したりする場合に比べて、コストアップを抑えることができる。
【００２８】
また、第１の塞ぎ材７は、間仕切り材３と同じ仕様で形成されているため、間仕切り材３と同質量の遮音性を確保することができ、隣り合う劇場間の遮音性能や防火区画を十分に確保することができる。
【００２９】
また、ブレース９の周囲に形成された間仕切り材３の切欠部３ｃが、間仕切り材３と同じ仕様の第２の塞ぎ材１０，１０で閉塞されるため、間仕切り壁１で区切られた２つの劇場間の遮音性能や防火区画をさらに十分に確保することができる。
【００３０】
［第２の実施の形態］
まず、本発明に係る間仕切り壁と鉄骨梁との取合構造の第２の実施の形態について説明する。図４は第２の実施の形態における間仕切り壁１と鉄骨梁２との取合構造を表す断面図であり、図５は図４に示すＢ−Ｂ間の断面図である。なお、第２の実施の形態の説明では、上記した第１の実施の形態と同様の構成については同一の符号を付すことでその説明を省略する。
【００３１】
図４，図５に示すように、外壁材４の内面４ａと鉄骨梁２のウェブ２ｂとの間に形成された空間Ｓ内には、その空間Ｓを閉塞する複数の塞ぎ材１０７…が設置されている。複数の塞ぎ材１０７…は、外壁材４の内面４ａに対向する向きにそれぞれ配設されており、隣接する塞ぎ材１０７，１０７同士が互いに接着接合されることで積層貼りされ、また、最内側の塞ぎ材１０７と鉄骨梁２のウェブ２ｂとが接着接合されることで、複数の塞ぎ材１０７…は空間Ｓ内に固定されている。
【００３２】
塞ぎ材１０７…は、積層貼りされた状態で、間仕切り材３と同等以上の遮音性が確保できるボードからなり、縦寸法Ｈ３が鉄骨梁２のフランジ２ａ，２ａ内法寸法Ｈ１よりも若干小さく、幅（横）寸法Ｈ４が所定寸法（例えば１００ｍｍ〜１５０ｍｍ程度）に形成された矩形のボードである。
【００３３】
塞ぎ材１０７…上下端面と鉄骨梁２のフランジ２ａ内側面との間、及び、最外側の塞ぎ材１０７´の外側面１０７ａ´と外壁材４の内面４ａとの間にはそれぞれ隙間が形成されており、この隙間にはシール材１０８が介在されている。
【００３４】
上記した構成からなる間仕切り壁１と鉄骨梁２との取合構造によれば、外壁材４の内面４ａと鉄骨梁２との隙間Ｄが狭く、図示せぬシーリングガン等が差し込めない場合であっても、作業員の手が入るだけの隙間Ｄがあれば、隙間Ｄから鉄骨梁２の裏側の空間Ｓ内に塞ぎ材１０７を入れて、塞ぎ材１０７を積層貼りしていくことができる。これによって、鉄骨梁２裏側の空間Ｓ内に、空間Ｓを閉塞する塞ぎ材１０７…を設置することができ、空間Ｓを閉塞することができる。
【００３５】
以上、本発明に係る間仕切り壁と鉄骨梁との取合構造の実施の形態について説明したが、本発明は上記した実施の形態に限定されるものではなく、その趣旨を逸脱しない範囲で適宜変更可能である。例えば、上記した実施の形態では、シネコンを収容する建物の内部に形成される劇場間を区切る間仕切り壁１と鉄骨梁２との取合構造について説明しているが、本発明は、それ以外の建物の内部に形成される間仕切り壁と鉄骨梁との取合構造であってもよく、例えば、集合住宅やオフィスビルなどの内部に形成される居室間を区切る間仕切り壁と鉄骨梁との取合構造であってもよい。
【００３６】
また、上記した実施の形態では、間仕切り材３に、ブレース９を嵌合させる切欠部３ｃを形成し、この切欠部３ｃとブレース９との間に形成された開口を、第２の塞ぎ材１０，１０で閉塞する構成としているが、本発明は、ブレースが備えられていない建物における間仕切り壁と鉄骨梁との取合構造であってもよく、或いは、建物にブレースが備えられ、間仕切り材にブレースに嵌合させる切欠部が形成されている場合であって、上記した実施の形態における第２の塞ぎ材１０，１０が備えられていない構成であってもよい。
【００３７】
また、上記した実施の形態では、鉄骨梁２がＨ形鋼からなっているが、本発明は、Ｉ形鋼やＴ形鋼、山形鋼、溝形鋼等のＨ形鋼以外の形鋼からなる鉄骨梁であってもよく、或いは、ラチス梁等の複数の鋼材からなる鉄骨梁であってもよい。
その他、上記した実施の形態における構成要素は、本発明の主旨を逸脱しない範囲で、周知の構成要素に変更してもよく、上記した実施の形態を適宜組み合わせてもよい。
【図面の簡単な説明】
【００３８】
【図１】本発明に係る間仕切り壁と鉄骨梁との取合構造の第１の実施の形態を説明するための断面図である。
【図２】図１に示すＡ−Ａ間の断面図である。
【図３】本発明に係る間仕切り壁と鉄骨梁との取合構造の第１の実施の形態を説明するための断面図である。
【図４】本発明に係る間仕切り壁と鉄骨梁との取合構造の第２の実施の形態を説明するための断面図である。
【図５】図４に示すＢ−Ｂ間の断面図である。
【符号の説明】
【００３９】
１  間仕切り壁
２  鉄梁骨
２ｂ  ウェブ
３  間仕切り材
３ａ  切欠部
４  外壁材（外壁）
４ａ  内面（外壁の内面）
７  塞ぎ材
Ｓ  空間
【図１】
2007211404.tif 000003
【図２】
2007211404.tif 000004
【図３】
2007211404.tif 000005
【図４】
2007211404.tif 000006
【図５】
2007211404.tif 000007